(57)【要約】      （修正有）【解決手段】発光ボタン２６は操作用フレキシブル基板１９の一部を欠きとって配置され、前記フレキシブル基板１９より奥に配置された電源基板ユニット１０上に実装されたタクトスイッチ１０ａを導光部材２７のふち部２７ａによって押すように構成されている。そしてタクトスイッチ１０ａの横にはＬＥＤ１０ｂが配されており、導光部材２７を通してＬＥＤ１０ｂから発せられた光が発光ボタン２６の表面に導かれる。【効果】ＬＥＤ１０ｂは発光ボタン２６のセンターより少しずれた位置に配されているが、ボタン表面より遠い位置にあるため、ボタン表面を均一に効率よく照射することが可能である。【選択図】  図３
2006100104.tif 000002
【特許請求の範囲】
【請求項１】
キートップとスイッチからなる操作ボタンを、機器の同一面の近傍に複数配置するとともに、該操作ボタンのスイッチを同一面に配する基板を持つ電子機器において、前記操作ボタンの一部を照光式ボタンとし、該照光式ボタンを前記基板の一部を切り欠いて配置するとともに、前記照光式ボタンのスイッチを前記他の操作ボタンのスイッチの基板より奥まった位置にある基板上に配置したことを特徴とする電子機器。
【請求項２】
前記照光式ボタンの光源は前記照光式ボタンのスイッチと並べて配置したことを特徴とする請求項１に記載の電子機器。
【請求項３】
前記照光式ボタンの光源は前記照光式ボタンのスイッチと導光部の間に配置したことを特徴とする請求項１に記載の電子機器。
【発明の詳細な説明】
【技術分野】
【０００１】
本発明は、電子機器における照光式の操作ボタンの構造に関する。
【背景技術】
【０００２】
デジタルカメラ等の電子機器においては機器の一面に操作ボタンをまとめて配置し、そのスイッチを１枚のフレキシブル基板あるいはプリント基板に配置することが多い。
【０００３】
また、ボタンを区別したり特別の動作を示すために特許文献１に示すように、ボタンの背面よりＬＥＤ等の光源を用いて操作ボタンの表面を照光するものもある。
【０００４】
一方で、上記文献にもあるように、光源とスイッチ両方をボタンの真下に置けないためその配置により、光源をボタン中心から離せばボタンに光り方にむらができたり、効率よく光らせることができない。また、スイッチをボタン中心から話せばボタンの良好なクリック感覚が得られないという問題があった。
【０００５】
特に最近は電子機器の薄型化が進み、ボタンと、光源やスイッチの距離が近くなり、余計に上記問題が出やすくなっている。
【特許文献１】特願２００４−２２８３７８号
【発明の開示】
【発明が解決しようとする課題】
【０００６】
ところで最近の小型の電子機器の場合、操作ボタンはなるべく１個所にまとめ、カバーの下のわずかな隙間にプリント基板、あるいはフレキ基板に並べたスイッチを配置する事が多い、そのような中で操作ボタンの一部を照光式に仕様とした場合、〔文献１〕が示すように、ボタンとＬＥＤやスイッチが実装された基板やフレキとの間隔が近いため、ＬＥＤがボタンの中心からずれた場合にむらがおきやすい。また、ボタンから離した位置から導光する場合は光量が落ちる問題があった。また、タクトスイッチも薄いため実装面積の大きいものにならざるを得ずＬＥＤあるいはスイッチをボタンの中心より離さざるを得ない。
【課題を解決するための手段】
【０００７】
上記課題を解決するために、キートップとスイッチからなる操作ボタンを、機器の同一面の近傍に複数配置するとともに、該操作ボタンのスイッチを同一面に配する基板を持つ電子機器において、前記操作ボタンの一部を照光式ボタンとし、該照光式ボタンを前記基板の一部を切り欠いて配置するとともに、前記照光式ボタンのスイッチを前記他の操作ボタンのスイッチの基板より奥まった位置にある基板上に配置したことを特徴とする電子機器を提供する。
【発明の効果】
【０００８】
本発明によれば、小型の電子機器においても照光式のボタンを効率よくかつ見栄え良く光らせることができる。
【発明を実施するための最良の形態】
【０００９】
以下の実施例に示す通りである。
【実施例１】
【００１０】
図１および図２は本発明の一実施例に係わるカメラを正面側および背面側より見て示す分解斜視図である。これらの図において、１はカメラの正面側を覆うフロントカバー、２は裏側を覆うリアカバーである。３は撮影レンズ等を保持する鏡筒ユニットであり、ファインダユニット４、鏡筒を駆動させるためのズームモータ５およびギヤユニット６が一体的に組み付けられおり、固定ねじ７ａ，７ｂ，７ｃによりベース部材８に固定される。
【００１１】
９は電池５１を保持するための電池ケースであり、電源基板ユニット１０を挟んでねじ１１ａおよび１１ｂによってベース部材８に固定される。
【００１２】
１２はストロボ発光部１３が上部に配されたストロボユニットであり、下方に伸びたフレーム部分にストロボ回路を実装したストロボ用フレキシブル基板１４が貼り付けられるとともに、ストロボ用コンデンサ１５が固定されている。そしてこのストロボユニット１２は、鏡筒ユニット３に組み付けられたギアユニット６およびズームモータ５の前面に配され、側面よりビス１６によりベース部材８に固定されている。この際、ストロボ発光部１３の幅はその後部に配置されている前記ギアユニット６およびズームモータ５を合わせた幅と略同一としているため、これらがスペースの無駄なく配置されている。
【００１３】
１７は、ＣＰＵやメモリ、画像処理ＬＳＩ等が実装されたメイン基板であり、背面に外部メモリであるＳＤメモリカード１７ｂのスロット１７ａおよびＵＳＢコネクタ１７ｃが実装されており、ねじ１８ａ，１８ｂ，１８ｃによって電池ケース９およびベース部材８にねじ止めされる。１９は、レリーズスイッチ、電源スイッチ等を実装した操作用フレキシブル基板である。２０はスピーカーであり、その端子部には操作用フレキシブル基板１９の一端が半田付けされている。
【００１４】
２１はシリコンゴムで作成された操作ボタンベース部材であり、十字キー２２、センタキー２３、押しボタン２４，２５等の操作ボタンが貼り付けられている。そしてこの操作ボタンベース部材２１は、背面に該操作ボタンベース部材２１に貼り付けられた上記各ボタン類に対応する位置に、ドーム状の金属の皿（メタルドーム）が貼り付けられていて、各操作ボタンを押すとメタルドームが上記操作用フレキシブル基板１９上のパターンに接触して通電するように構成されている。また、操作ボタンベース部材２１は、その一部２１ａがスピーカー２０の縁を覆うように構成されており、スピーカー２０とリアカバー２の隙間を塞ぐ緩衝材の役目を果たしている。２６はその中心部に導光部材２７が貼り付けられた発光ボタンである。
【００１５】
図３に発光ボタン２６とその周囲の断面を示す。図に示すようにベース部材８とリアカバー２で挟持するように操作用フレキシブル基板１９と操作ボタンベース部材２１が配され、該操作ボタンベース２１上に押しボタン２５が貼り付けられ、その背面にメタルドーム２５ａが接着されている。他の押しボタン２４、十字キー２２、センターキー２３も同様である。一方、発光ボタン２６は前記操作用フレキシブル基板１９の一部を欠きとって配置され、前記フレキシブル基板１９より奥に配置された電源基板ユニット１０上に実装されたタクトスイッチ１０ａを導光部材２７のふち部２７ａによって押すように構成されている。そしてタクトスイッチ１０ａの横にはＬＥＤ１０ｂが配されており、導光部材２７を通してＬＥＤ１０ｂから発せられた光が発光ボタン２６の表面に導かれる。この際、ＬＥＤ１０ｂは発光ボタン２６のセンターより少しずれた位置に配されているが、ボタン表面より遠い位置にあるため、ボタン表面を均一に効率よく照射することが可能である。また、タクトスイッチ１０ａも背が高いが実装面積の小さいものが使用可能となるため、スイッチの中心を、ＬＥＤ１０ｂをボタンのセンター近くに置いたまま、スイッチの中心をボタンのセンター近くことも可能となる。発光ボタン２６はそのベース部分がねじ２８によってベース部材８に固定される。
【００１６】
２９はＬＣＤパネルであり、不図示のバックライトとともにＬＣＤホルダー３０に保持されている。ＬＣＤホルダー３０は、ねじ３１によってベース部材８に固定される。３２はカメラの動作モードを切り換えるモード切換えボタンであり、図２中、略左右に動かすことで静止画撮影、動画撮影、画像再生に切り換え可能である。このモード切換えボタン３２は、背面の固定板３３とともにリアカバー２を挟み込むことで左右に移動を可能とするように構成されるとともに、切り欠き部３３ａが操作用フレキシブル基板１９上に実装されたモード切換えボタン３２の腕部を加えることでスイッチ部を切り換え可能に構成されている。
【００１７】
３４は、ズームダイアル３５、レリーズボタン３６、パワーボタン３７を保持するボタン保持部材であり、電池ケース９の上面に操作用フレキシブル基板１９を挟んで配置される。また、ボタン保持部材３４は、その側部にＵＳＢコネクタ１７ｃおよび映像と音声のジャック５７が収納されるジャック収納部を有するとともに、それらをカバーするためのジャックカバー３８が引き出し可能なように配されている。
【００１８】
４１はストラップ４２が取り付けられる表面がＲ面をした長方形状のストラップ取付部材であり、強度とデザイン上の観点からダイキャストにより成型されている。このストラップ取付部材４１は、ストラップ４２の環状の細紐の先端部が巻き付けられる棒形状部４１ａが略中央を横断するようにして形成された開口部４１ｂを有している。また、ストラップ取付部材４１には、このストラップ取付部材４１をべース部材８にねじ４４ａ，４４ｂによって取り付ける際に用いられるねじ穴が、上記棒形状部４１ａの略延長上に穿孔されている。これにより、ストラップ４２にてストラップ取付部材４１を引っ張る力を効率的にカメラ本体に伝えることが可能となる。
【００１９】
４３は円弧状（または半球でもよい）の凹み部４３ａをもつインナー部材であり、ストラップ取付部材４１の背面側より開口部４１ｂに嵌め込まれる。インナー部材４３がストラップ取付部材４１に嵌め込まれた際、凹み部４３ａおよび開口部４１ｂが、ストラップ４２の先端部４２ａを棒形状部４１ａの下をもぐるようにして開口部４１ｂの一方から他方へ案内する連通穴を形成する。４５は三脚取り付け用のねじが切られた三脚取り付け座である。
【実施例２】
【００２０】
図４に第２の実施例における発光ボタン１２６とその周囲の断面を示す。図に示すようにベース部材１０８とリアカバー１０２で挟持するように操作用フレキシブル基板１１９と操作ボタンベース部材１２１が配され、該操作ボタンベース１２１上に押しボタン２５が貼り付けられ、その背面にメタルドーム１２５ａが接着されている。一方、発光ボタン１２６はその下面にコの字状のＳＷ押部１２６ａをもつとともに導光部材１２７がボタン中央部に接着されている。そしてベース部材１０８の舌部１０８ａがＳＷ押部１２６ａの内側に差し込まれるとともに、ＬＥＤ１０ｂが導光部材１２７の直下に配されている。また、前記操作用フレキシブル基板１１９より奥に配置された電源基板ユニット１１０上にはタクトスイッチ１０ａが実装され、ＳＷ押部１２６ａによって押されるように構成されている。そしてタクトスイッチ１０ａの横には、導光部材２７を通してＬＥＤ１０ｂから発せられた光が発光ボタン２６の表面に導かれる。
【００２１】
上記実施例によれば、カメラの同一面の近傍にボタンを複数配置し、一部のボタンを背面よりＬＥＤ等の光源で光を照射して光らせる場合、他のボタンのＳＷより奥まった位置に光源を配置し導光部材を用いてボタンの表面を光らせるように構成することにより、光源がほぼ直下に配置されるためボタンが効率よく、また、見栄え良く照らされる。
【００２２】
また、第２の実施例によれば光源より奥まった位置にＳＷを配置し、ＳＷと導光部材の間に光源を配置することでボタンを効率よく、また、見栄え良く照らすことができる。
【００２３】
なお、本発明では発光ボタン２６は中央部のみ光らせるため、導光部材を別部材として構成しているが、発光ボタンと導光部材を一体で成型し必要な範囲以外を塗装等で表面を遮光してもよい。また、一体で成型してボタン全体を光らせることも問題はない。
【図面の簡単な説明】
【００２４】
【図１】本発明の一実施例に係わるカメラの正面側から見て示す分解斜視図である。
【図２】本発明の一実施例に係わるカメラの背面側から見て示す分解斜視図である。
【図３】図１のカメラに適用される電池ケースと電源基板ユニットの関係を示した図である。
【図４】発光ボタンとその周囲の断面を示す図である。
【符号の説明】
【００２５】
１  フロントカバー
２  リアカバー
８  ベース部材
１０、１０１  電源基板ユニット
１０ａ、１１０ａ  タクトスイッチ
１０ｂ、１１０ｂ  ＬＥＤ
１９、１１９  操作用フレキシブル基板
２１、１２１  操作ボタンベース部材
２５、１２５  押しボタン
２６、１２６  発光ボタン
２７、１２７  導光部材
【図１】
2006100104.tif 000003
【図２】
2006100104.tif 000004
【図３】
2006100104.tif 000005
【図４】
2006100104.tif 000006